(57)【特許請求の範囲】
【請求項１】
所定枚数以下の枚数の紙幣を取込み手段により一括して装置内に取込んだのち、繰入れ手段により１枚ずつ分離して繰込む紙幣取込み繰入れ装置において、前記取込み手段により紙幣の先端が前記繰入れ手段の直前位置である所定位置まで取込まれたとき該紙幣の一部が装置外に露出した位置で停止させる停止手段を具有することを特徴とする紙幣取込み繰入れ装置。
【請求項２】
前記取込み手段は、２軸間に張設された第１の無端ベルトと、当該ベルトに対向して配設され常時このベルト側に付勢された圧接部材とで構成され、前記繰入れ手段は、前記取込み手段の第１の無端ベルトの紙幣取込み側のベルト面より退去した位置をとるよう２軸間に張設された第２の無端ベルトと、紙幣を１枚ずつ分離するための逆転ローラ機構とで構成されている請求項１記載の紙幣取込み繰入れ装置。
【発明の詳細な説明】
【０００１】
【発明の属する技術分野】
本発明は紙幣取込み繰入れ装置に係り、特に紙幣を一括して取込んだのち１枚ずつ分離して装置内に繰込む形式の紙幣取込み繰入れ装置に関する。
【０００２】
【従来の技術】
紙幣を一括して受入れ、これを一括して取込む一括取込み機能を有する現金処理機は従来から既に知られており、主として屋外乃至は半屋外で現金の授受が行われるガソリンスタンド等における使用に適している。
【０００３】
上記のような屋外乃至は半屋外では、風の影響を受けて授受する紙幣の飛散が懸念されるが、一括取込み機能を有する現金処理機を使用すれば、少くとも現金処理機へ紙幣を投入したのちは風による紙幣の飛散を防止することができる。
【０００４】
かかることから従来の一括取込み機能を有する現金処理機では、一括して挿入された紙幣がそのまま装置内に完全に取込まれることを意図した構成となっている。
【０００５】
すなわち図３にその断面を略示するように、紙幣挿入口１の内部に所要枚数の紙幣Ｐを矢印Ａ方向から挿入すると、この紙幣挿入口１の内部に設けられている取込みローラ２とこれにバネ付勢により当接されているピンチローラ３との間に挟まれて内方へ送り込まれ、繰込みベルト４上へ送入される。この繰込みベルト４に接している紙幣Ｐは該ベルト４の回動で送り込まれ、それより上位の紙幣は衝当てとなるガイド板５より奥側にある逆転ローラ６により進入が阻まれることにより１枚ずつに分離される。そして１枚目の紙幣Ｐの先端がセンサ７（フォト）を遮切るとストッパ８が鎖線図示のように作動して２枚目以降の紙幣Ｐを繰込みベルト４の上方にソレノイド９ａにより紙幣繰込み時に下降動する札押え９側へ押しつけて進出を抑え、２枚目の紙幣Ｐの繰込みは１枚目の紙幣が収納部に搬送されて収納動作が完了したのちにストッパ８が解除されて次の紙幣Ｐが繰込まれるようにしている。
【０００６】
【発明が解決しようとする課題】
しかるに上記従来の技術では、紙幣Ｐを一括して取込んだのち１枚ずつ分離して繰込む動作中にジャムを引起こすなどによる繰込み不良が発生した場合、既に紙幣Ｐがすべて一括して装置内に存在しているので繰込み不良を解消させようとして紙幣Ｐに手を触れようとしても触れることができず、したがってこのような繰込み不良等のトラブルが発生した場合には装置を開放したうえで対処しなければならないことになり、その結果、著しく手間が掛るばかりでなく装置内に既に収納されている紙幣も露出することになって保安上好ましくないという問題があった。加えて紙幣を一括して装置内に完全に取込むことを前提とした構成であるため、装置の奥行きが長く必要となり、これに基因して装置が大型となって小型化の要請に応えられないなどの問題点があった。
【０００７】
【課題を解決するための手段】
本発明は、紙幣を一括して取込む際にその一部が装置外に露出しておかれるようにし、繰込み動作中にトラブルが発生したとき装置を開けることなく直ちに解消操作を行えるようにした紙幣取込み繰入れ装置を提供することを課題とするもので、所定枚数以下の枚数の紙幣を取込み手段により一括して装置内に取込んだのち、繰入れ手段により１枚ずつ分離して繰込む紙幣取込み繰入れ装置において、前記取込み手段により紙幣の先端が前記繰入れ手段の直前位置である所定位置まで取込まれたとき該紙幣の一部が装置外に露出した位置で停止させる停止手段を具有することを特徴とする。
【０００８】
好ましくは、前記取込み手段を、２軸間に張設された第１の無端ベルトと、当該ベルトに対向して配設され常時このベルト側に付勢された圧接部材とで構成し、前記繰入れ手段を、前記取込み手段の第１の無端ベルトの紙幣取込み側のベルト面より退去した位置をとるよう２軸間に張設された第２の無端ベルトと、紙幣を１枚ずつ分離するための逆転ローラ機構とで構成することが搬送系全体を短くする上において好ましい。
【０００９】
【発明の実施の形態】
以下、本発明を、図面に示す実施の形態を参照して説明する。
【００１０】
図１に示すように、装置１０の前面に開口された紙幣挿入口１１の内部側に軸１２，１３間に巻回された第１の無端ベルト１４が配設され、この第１の無端ベルト１４の紙幣接触側１４ａにはそのベルト面の略全長にわたる長さを有する圧接部材１５がバネ１６によりベルト面側に付勢して設けられており、これら第１の無端ベルト１４と圧接部材１５とで取込み手段が構成されている。
【００１１】
前記第１の無端ベルト１４の下流側と一部重複する位置をとり全体の奥行き方向の長さを短くするようにして軸１７，１８間に巻回された第２の無端ベルト１９が配設され、この第２の無端ベルト１９の紙幣接触側１９ａのベルト面は前記第１の無端ベルト１４の紙幣接触側１４ａのベルト面より若干退去した位置とされており、前記第１の無端ベルト１４の未端外で第２の無端ベルト１９の紙幣接触側１９ａの範囲内の上部に逆転ローラ２０が、その下部にピンチローラ２１が設けられて逆転ローラ機構を構成しており、これら第２の無端ベルト１９と逆転ローラ機構と第２の無端ベルト１９の未端に対設されるピンチローラ２２とで繰入れ手段が構成されている。
【００１２】
前記第１の無端ベルト１４の始端位置には第１のセンサ２３（フォト）が設けられ、第２の無端ベルト１９の未端より後部側に第２のセンサ２４が設けられている。
【００１３】
前記第１の無端ベルト１４の駆動源にはステッピングモータ２５が用いられ、第２無端ベルト１９の駆動源にはＤＣモータ２６が用いられる。上記ステッピングモータ２５のクロック数を予め定めることにより本発明における停止手段を構成している。
【００１４】
次に上記実施形態の制御ならびに作用を図２に示すフローを参照して説明する。
まず所要枚数の紙幣を一括して装置１０の紙幣挿入口１１に挿入すると（ステップＳ１）、その紙幣の先端が第１のセンサ２３の光路を遮切る（ステップＳ２）。すると取込み手段の第１の無端ベルト１４のステッピングモータ２５が起動し、予め定められたクロック数分回動したのち停止し、励磁によりその位置に保持される（ステップＳ３）。これにより一括挿入された紙幣Ｐの先端Ｐａは逆転ローラ２０の直前位置で停止し、紙幣Ｐの後半部Ｐｂは挿入口１１から露出した状態におかれる。
【００１５】
次いで繰入れ手段の第２の無端ベルト１９のＤＣモータ２６が起動して該ベルト１９を駆動するとともに逆転ローラ２０が逆転駆動し（ステップＳ４）、また第１の無端ベルト１４のステッピングモータ２５が再起動（ステップＳ５）すると、一括して取込まれていた紙幣Ｐの最下位の１枚が第１の無端ベルト１４により逆転ローラ２０とピンチローラ２１との間に送り込まれ、この間を通ってさらに第２の無端ベルト１９の未端位置に対設されるピンチローラ２２へ当接する位置まで送られる。それ以降は専ら繰入れ手段によって搬送される。
【００１６】
当該紙幣Ｐが第２のセンサ２４の光路を遮切ると（ステップＳ６）、取込み手段の第１の無端ベルト１４のステッピングモータ２５が停止し、無励磁状態（フリー状態）におかれる（ステップＳ７）。当該紙幣Ｐがセンサ２４を遮切ってから別のクロックにより計数して第２の無端ベルト１９が所定クロック数分移動させたとき再び第１の無端ベルト１４のステッピングモータ２５が無励磁から励磁に転じ、２枚目以降の紙幣の連れ出しを禁じて１枚の繰込みが終了する（ステップＳ８）。一括して取込んだ紙幣Ｐの枚数分だけ上記ステップＳ５〜Ｓ８のループを繰返して１枚ずつの繰込みが行われる。
【００１７】
第１のセンサ２３が透光状態（紙幣無し）となると取込み手段が停止する（ステップＳ９）。
【００１８】
なお上記実施形態では取込み手段を構成する第１の無端ベルト１４の駆動源にステッピングモータ２５を用い、このモータのクロック数を定めることにより一括挿入される紙幣Ｐの停止位置を定めるようにした場合について示したが、これに代えて紙幣Ｐの先端位置を検知する検知手段を用い、その検知結果により取込み手段の駆動停止を制御するようにして紙幣を所定の位置で停止させるようにしてもよい。
【００１９】
【発明の効果】
以上説明したように本発明によれば、紙幣等の紙葉類を一括して取込んだのち１枚ずつ分離して繰込む動作中にジャミング等のトラブルが発生した場合、装置を開放することなく直ちに対処することが可能となり、迅速な処理ができる。またこれにより対象が現金処理機の場合、これを取扱うアルバイト等の作業員が装置内に収納されている紙幣に手を触れることがないので不正行為の誘発を予防することができる。さらに挿入紙葉類の一部を装置外に露出した状態におくので、装置の奥行き方向の長さが短くでき、装置の小型化を図ることができて屋外や半屋外に設置するうえにおいてきわめて有効となる。
【図面の簡単な説明】
【図１】本発明の一実施形態を示す模式図。
【図２】フロチャート。
【図３】従来の技術を示す断面図。
【符号の説明】
１，１１  紙幣挿入口
２  取込みローラ
４  繰込みベルト
５  ガイド板
６  逆転ローラ
７  センサ
８  ストッパ
９  札押え
１４  第１の無端ベルト
１５  圧接部材
１６  バネ
１９  第２の無端ベルト
２０  逆転ローラ
２１，２２  ピンチローラ
２３  第１のセンサ
２４  第２のセンサ
２５  ステッピングモータ
２６  ＤＣモータ
【図１】
0003547571.tif 000002
【図２】
0003547571.tif 000003
【図３】
0003547571.tif 000004